(57)【要約】【課題】所望の排水勾配を有した浴室を容易に構築することができるようにする。【解決手段】構築予定の床の排水勾配に応じて、最も水上の床高さを決定し、出入口２３側の隅に最水上のきわ根太高さを示すポイントＰ１をマークする。浴室１の他の３隅については、この排水勾配と、浴槽設置用段落しを考慮してきわ根太高さを決定し、各々の高さを示すポイントをマークする。これらの各マークを結ぶようにきわ根太仕上げラインＬ１を墨出しする。ラインＬ１に沿ってきわ根太２５，２８を取り付ける。きわ根太２５，２８に根太３１，３３，４１，４２を取り付け床板５５を張る。【選択図】図８
2007063863.tif 000002
【特許請求の範囲】
【請求項１】
浴室の土台又は基礎にきわ根太を取り付け、該きわ根太に根太を取り付け、該根太に床板を取り付けた浴室床であって、
該床に排水勾配が形成されるように前記きわ根太を土台又は基礎に取り付けたことを特徴とする浴室床。
【請求項２】
請求項１において、前記基礎にきわ根太を取り付ける場合には、該基礎にアングルを取り付け、該アングルにきわ根太を固定したことを特徴とする浴室床。
【請求項３】
浴室の土台又は基礎にきわ根太を取り付け、該きわ根太に根太を取り付け、該根太に床板を取り付ける浴室床の構築方法であって、
該床に排水勾配が形成されるように前記きわ根太を土台又は基礎に取り付けることを特徴とする浴室床の構築方法。
【請求項４】
請求項３において、最も水上の隅におけるきわ根太の位置を決定し、他の隅におけるきわ根太の位置をそれに合わせて決定することを特徴とする浴室床の構築方法。
【請求項５】
請求項４において、決定されたきわ根太の位置を示す墨出しを土台又は基礎に行ない、この墨出しに従ってきわ根太を土台又は基礎に取り付けることを特徴とする浴室床の構築方法。
【発明の詳細な説明】
【技術分野】
【０００１】
本発明は浴室床およびその構築方法に関する。
【背景技術】
【０００２】
浴室床は防水パンで構成されることが多いが、根太上に床板を張ることによって構築されることもある。
【０００３】
実開平２−９６３３号には、水平な根太（横木部材）の上に、根太と直交方向に縦木部材に床板を張ることによりバルコニー等の防水床パネルを構築することが記載されている。この床パネルに排水勾配をつけるために、上記縦木部材として高さの異なる複数種類のものを用いている。
【特許文献１】実開平２−９６３３号
【発明の開示】
【発明が解決しようとする課題】
【０００４】
上記実開平２−９６３３号では、上記縦木部材として高さの異なるものを用いることにより排水勾配を設けるようにしている。このため、高さの異なる縦木部材を種々用意しておく必要があり、コスト高である。また、現場寸法に応じた各種の縦木部材を製作するところから、施工に着手するまでに徒に日が経過するという短所もある。
【０００５】
本発明は、所望の排水勾配を有した浴室を速やかに構築することができるようにすることを目的とする。
【課題を解決するための手段】
【０００６】
請求項１の浴室床は、浴室の土台又は基礎にきわ根太を取り付け、該きわ根太に根太を取り付け、該根太に床板を取り付けた浴室床であって、該床に排水勾配が形成されるように前記きわ根太を土台又は基礎に取り付けたことを特徴とするものである。
【０００７】
請求項２の浴室床は、請求項１において、前記基礎にきわ根太を取り付ける場合には、該基礎にアングルを取り付け、該アングルにきわ根太を固定したことを特徴とするものである。
【０００８】
請求項３の浴室床の構築方法は、浴室の土台又は基礎にきわ根太を取り付け、該きわ根太に根太を取り付け、該根太に床板を取り付ける浴室床の構築方法であって、該床に排水勾配が形成されるように前記きわ根太を土台又は基礎に取り付けることを特徴とするものである。
【０００９】
請求項４の浴室床の構築方法は、請求項３において、最も水上の隅におけるきわ根太の位置を決定し、他の隅におけるきわ根太の位置をそれに合わせて決定することを特徴とするものである。
【００１０】
請求項５の浴室床の構築方法は、請求項４において、決定されたきわ根太の位置を示す墨出しを土台又は基礎に行ない、この墨出しに従ってきわ根太を土台又は基礎に取り付けることを特徴とするものである。
【発明の効果】
【００１１】
本発明の浴室床及びその構築方法によると、排水勾配を形成するようにきわ根太を土台又は基礎に取り付けるので、種々の高さの異なる縦木部材が不要であり、浴室を速やかに構築することができ、工期が短くなると共に、コストも安いものとなる。
【００１２】
なお、基礎に対してはアングルを用いることにより、きわ根太を堅固に取り付けることができる。
【００１３】
きわ根太は、上記のように床に排水勾配が形成されるように土台又は基礎に取り付けられるが、この場合、最も水上の隅におけるきわ根太の位置を決定し、他の隅におけるきわ根太の位置をそれに合わせて決定することにより、きわ根太の傾斜を正確に決定することができる。この決定に従って墨出ししてきわ根太を取り付けることにより、設計通りの排水勾配を有した床が構築される。
【発明を実施するための最良の形態】
【００１４】
以下、第１図〜第２９図を参照して実施の形態について説明する。
【００１５】
第１図は構築された浴室床を有する浴室と、それに隣接するパウダールームの平面図、第２図〜第４図は第１図の矢印II方向〜IV方向の矢視図、第５図〜第７図は構築途中状態における第１図のＶ〜VII矢視図である。第８図〜第１７図は床の構築途中図、第１８，１９図は第１７図のXVIII−XVIII線、XIX−XIX線断面図、第２０図〜第２５図は洗い場カウンターの構築途中図、第２６図〜第２８図は浴槽回りの構築途中図、第２９図は第２６図のXXIX−XXIX線断面図である。
【００１６】
第１図〜第４図の通り、浴室１に隣接してパウダールーム２が構築されている。浴室１内には洗い場３、カウンター４、浴槽カウンター５及び浴槽６が設けられている。パウダールーム２内のカウンター７には洗面器８と洋風便器９とが設置されている。浴室１とパウダールーム２との間は、ガラス間仕切り１０、腰壁１１及び、出入口２３（第５図）に設けられた出入口ガラスドア１２によって区画されている。
【００１７】
この浴室１の構築方法について次に説明する。
【００１８】
第５図の通り、基礎２０上に土台２１が設置され、浴室１の４隅に柱が立設され、必要な箇所に壁下地板２４が取り付けられている。第５図の符号２２はベタ基礎、２３は浴室１とパウダールーム２との出入口を示す。
【００１９】
第６図の通り、出入口の土台２１の浴室１側の側面に、高さの小さいパネル２１Ａが取り付けられている。
【００２０】
構築予定の床の排水勾配に応じて、最も水上の床高さを決定し、第５図の通り、出入口２３側の隅に最水上のきわ根太高さを示すポイントＰ１をマークする。浴室１の他の３隅については、この排水勾配と、構築予定の床の仕上げ面の高さ、浴槽設置用段落しを考慮してきわ根太高さを決定し、各々の高さを示すポイントをマークする。これらの各マークを結ぶようにきわ根太仕上げラインＬ１を墨出しする。Ｐ１に近い部分では、ラインＬ１は土台２１やパネル２４，２１Ａに付着するが、Ｐ１よりも離れた水下側や、浴槽設置部ではラインＬ１は基礎２０の側面に付着することになる。
【００２１】
次に、上面と下面が略平行であるきわ根太２５，２８の上面がラインＬ１に沿うように取り付ける。
【００２２】
出入口２３付近では、第６図のようにパネル２４，２１Ａにきわ根太２５が取り付けられる。
【００２３】
第７図のように、出入口２３に隣接した腰壁１１付近では、洗い場３よりも一段低くなるように段落しした浴槽設置部を構築するので、基礎２０にＬアングルよりなるブラケット２７をビス留めし、このブラケット２７上にきわ根太２８を設置し、ビス２９で固定する。
【００２４】
その他の箇所についても、基礎２０又は土台２１にきわ根太２５，２８を取り付ける。なお、きわ根太２５は洗い場用であり、きわ根太２８は浴槽設置部用である。
【００２５】
浴槽１の全周にわたってきわ根太２５，２８を設置した後、第８図及び第１０図のように根太３１をその端部をきわ根太２５又は２８に取り付けることにより設置する。なお、きわ根太２５又は２８に根太３１を取り付けるには、第９図に示す取付金物３２を用いる。図示の通り、この取付金物３２は、きわ根太２５又は２８と根太３１の側面にビス留めされる。ここでは上面と下面が略平行であるきわ根太２５，２８を用いたが、上面がラインＬ１と同じ勾配の斜面で形成されたきわ根太を用いてもよい。
【００２６】
第１０図の通り、洗い場の最も水下側には、根太３１，３１間にこれらと直交方向の短い根太（床梁）３３を２本架設する。これらの根太３３，３３間には、第１０図のXIII線矢視図である第１３図の通り、排水口部材５０が設置される。なお、根太３１，３３同士は前記取付金物３２と同様の金物を介して連結される。
【００２７】
上記の根太３１は、第１０図の通り、浴槽設置部の長手方向と平行に架設されている。洗い場と浴槽設置部との境界の根太３１の浴槽設置部側の側面には、第１０図のXI−XI線断面斜視図である第１１図の通り、根太受け桟４０がビス留めされる。この根太受け桟４０と、浴槽設置部の対向するきわ根太２８との間に根太４１が複数本（この実施の形態では３本）架設される。
【００２８】
第１０図の通り、パウダールーム２から最も遠い水下側の根太４１と、対向するきわ根太２８との間には、短い根太４２が架設される。根太４１，４２の取り付けにも、例えば第１１図の通り取付金物３２が使用される。根太３１，３３，４１，４２を取り付けた後、第１２図のように根太３１，４１の下側の適宜箇所に床束４３を立設して根太３１，４１を支承する。
【００２９】
この床束４３の上端は、Ｕ字形の受け金具４４とビス４５とを用いて根太３１，４１に固定される。床束４３の下部は、足ボルト４６にて構成されており、該足ボルト４６によって高さ調整した後、ロックナット４７で足ボルト４６とロックするようになっている。足ボルト４６の下端には、ベタ基礎２２上に当接される金属板４８が固設されている。
【００３０】
また、すべての根太の取り付け後、前述の第１３図の通り、根太３３，３３間に洗い場床排水口部材５０を取り付ける。また、第１４図に示すように、根太４２，４２間に浴槽設置部及び浴槽排水用の排水口部材５１を取り付ける。
【００３１】
この排水口部材５０，５１の設置後、根太上に床板５５を張る。
【００３２】
この床板張り作業に際しては、まず洗い場３に床板５５を張った後、第１５，１６図の通り給水及び給湯用の樹脂管５６，５６を床下に引き回すと共に、樹脂管５６，５６用の継手５７を床板５５の水下側部分（第１図のカウンター４の内部）に取り付ける。この継手５７は、床板５５に突設された開口５５ａに挿通される。継手５７は、そのフランジが開口５５ａの上縁に重ね合わされ、ビス５７ａによって固定されている。
【００３３】
１対の継手５７，５７を床板５５に取り付けた後、樹脂管５６，５６の末端をそれぞれ継手５７，５７に連結する。
【００３４】
なお、後述の通り、吹き付け作業を行うため、継手５７には第１６図の通りキャップ５７ｂを被せておく。
【００３５】
第１７図は、この継手５７の設置及びすべての床板張りが終了した状態を示す平面図である。第１８，１９図は第１７図のXVIII−XVIII線及びXIX−XIX線断面図であり、床板５５の根太３１への取り付け状態及びきわ根太２５への取り付け状態を示している。第１８図の５５ａはビスを示す。
【００３６】
その後、洗い場カウンターの前面板の設置位置の下方に角材５９（第２１図）を取り付ける。
【００３７】
このように床板を５５張り、継手５７の設置及び角材５９の取り付け後、床面と、壁の下部とに連続して防水層６０（第２１図等参照）を吹き付け塗装により形成する。
【００３８】
この防止層６０は、洗い場床面から約１０００ｃｍ程度の高さまで形成するのが好ましい。
【００３９】
次いで、第２０図及び第２０図のXXI−XXI線断面図である第２１図に示すように、パウダールーム２と反体側の壁パネル２４に、水平方向にカウンター天板取付用アングル６１をビス６１ａ留めする。また、それに隣接する壁パネル２４にカウンター前板取付用アングル６２を鉛直方向にビス留めする。さらに、前記角材５９の上側に、カウンター前板の下部を支承するためのアングル６３をビス６３ａ留めする。
【００４０】
次に、第２２図の通り、上縁にアングル６７が取り付けられたカウンター前板６６を該アングル６２，６３にビス留めにより取り付ける。この際、床板５５には排水勾配が存在するので、前板６６の水下側には、床勾配補正用のスペーサ６５を床板５５との間に介在させる。
【００４１】
前板６６の上端と、該パネル２４のアングル６１とに跨って、カウンター天板６８をビス６８ａによって取り付ける。このカウンター天板６８には、その浴槽設置部側に予めバス水栓７０を取り付けておく。第２３，２４図はバス水栓７０の取り付け状況を示す斜視図である。
【００４２】
第２３図の通り、カウンター天板６８にはバス水栓取付用開口６８ｂが設けられている。
【００４３】
第２４図の通り、バス水栓７０は、給水用及び給湯用の配管７１，７１及び分岐管７２，７２を介して前記継手５７，５７に接続されている。分岐管７２は継手５７に固着されている。分岐管７２のもう一方の流出口は、配管７４を介して、カウンター前板６６に設けられた洗い場用水栓７５に接続されている。カウンター天板６８は、浴槽設置部側と洗い場側との２枚よりなる。浴槽設置部側のカウンター天板に水栓７０が取り付けられている。この浴槽設置部側の天板６８を設置し、配管７１，７４の接続を行った後、洗い場側の天板６８を設置する。
【００４４】
このカウンター設置工事後、第２５図の通り、浴槽エプロンパネルの受け桟（アングル）８０，８１を、根太３１と、カウンター前板６６とにビス８０ａ，８１ａによって取り付ける。また、カウンター前板６６には、浴槽設置用天板８９（第２７図）の支持用の受け桟８２をビス留めしておく。
【００４５】
第２６図の通り、パウダールーム側においても壁パネル１１，２４にエプロンパネル受け桟８３，８４，８５をビス留めしておく。そして、第２７図の通り、受け桟８０，８１，８４に支持させるようにしてエプロンパネル８８を配置し、ビス８８ａでエプロンパネル８８を受け桟８１，８４に留め付ける。第２６，２７図の通り、受け桟８３，８５とエプロンパネル８８とに支承させるようにして浴槽設置用天板８６を設置し、さらに天板８９を設置する。
【００４６】
次いで、浴槽９０を浴槽設置部に配置し、そのフランジ部９０ａを天板８６，８９及び前記カウンター天板６８の上側に配置する。また、洗い場３の床面等にタイル張り用下地板を張る。
【００４７】
その後、洗い場３の床面、カウンター４の前面及び上面、エプロンパネル８８、並びに天板８６，８９の上面にタイル張りする。第２８図はエプロンパネル８８及び天板８９へのタイル張りを示す断面図であり、エプロンパネル８８には平物のタイル９１が貼り付けられ、上縁には役物タイル９２が張り付けられている。浴槽フランジ部９０ａの下側のタイル９１と該フランジ部９０ａとの隙間にはコーキング９３が施されている。
【００４８】
浴室１とパウダールーム２との出入口部分の水仕舞い構造の詳細を第２９図に示す。なお、第２９図は第２６図のXXIX−XXIX断面を示している。
【００４９】
第２９図の通り、浴室１からパウダールーム２にかけて連続して防水層６０が設けられている。洗い場の床面には、この防水層６０の上に、タイル張り用下地板１００を介してタイル１０１が張り付けられている。パウダールーム２においては、防水層６０の上にタイル張り用下地板１１１を介してタイル１１２が張り付けられている。
【００５０】
出入口２３の土台２１の上側には、ドアサッシ１２０が設置されている。前記第１図〜第３図のドア１２はこのドアサッシ１２０に取り付けられている。
【００５１】
このようにして構築される浴室１は、洗い場３及び浴槽設置部に適切な排水勾配が設けられている。この排水勾配は、傾斜付けされたきわ根太２５，２８によってもたらされたものであり、所望の勾配を精度よくつけることができる。また、前記実開平２−９６３３号の如き種々の高さの異なる縦木部材が不要であるので、低コストであり、受注から施工終了までの日数も少ない。
【図面の簡単な説明】
【００５２】
【図１】実施の形態に係る浴室と、隣接するパウダールームの平面図である。
【図２】図１のII方向の矢視図である。
【図３】図１のIII方向の矢視図である。
【図４】図１のIV方向の矢視図である。
【図５】施工途中における図１のＶ方向の矢視図である。
【図６】施工途中における図１のVI方向の矢視図である。
【図７】施工途中における浴室の斜視図である。
【図８】施工途中における浴室の斜視図である。
【図９】きわ根太と根太との接合部の斜視図である。
【図１０】浴室におけるきわ根太及び根太を示す平面図である。
【図１１】根太と根太受け桟との接合部の斜視図である。
【図１２】床束の斜視図である。
【図１３】床排水口部材の設置状況を示す斜視図である。
【図１４】浴槽設置部の排水口部材の設置状況を示す斜視図である。
【図１５】給水、給湯用の樹脂管の引き回し構造を示す斜視図である。
【図１６】樹脂管用継手の取付状況を示す断面図である。
【図１７】床板張り後の浴室の平面図である。
【図１８】図１７のXVIII−XVIII断面図である。
【図１９】図１７のXIX−XIX断面図である。
【図２０】カウンター設置用アングルの取付状況を示す斜視図である。
【図２１】図２０のXXI−XXI断面斜視図である。
【図２２】カウンター設置状況を示す斜視図である。
【図２３】バス水栓の設置状況を示す斜視図である。
【図２４】分岐栓及びバス水栓の設置状況を示す斜視図である。
【図２５】エプロンパネル用受け桟の設置状況を示す斜視図である。
【図２６】浴槽設置部用天板及びエプロンパネル用受け桟の設置状況を示す斜視図である。
【図２７】浴槽エプロンの設置状況を示す斜視図である。
【図２８】浴槽エプロン及び浴槽の設置状況を示す斜視図である。
【図２９】洗い場からパウダールームにかけての断面図である。
【符号の説明】
【００５３】
１  浴室
２  パウダールーム
３  洗い場
４  洗い場カウンター
５  浴槽カウンター
６  浴槽
２５，２８  きわ根太
３１，３３，４１，４２  根太
５５  床板
【図１】
2007063863.tif 000003
【図２】
2007063863.tif 000004
【図３】
2007063863.tif 000005
【図４】
2007063863.tif 000006
【図５】
2007063863.tif 000007
【図６】
2007063863.tif 000008
【図７】
2007063863.tif 000009
【図８】
2007063863.tif 000010
【図９】
2007063863.tif 000011
【図１０】
2007063863.tif 000012
【図１１】
2007063863.tif 000013
【図１２】
2007063863.tif 000014
【図１３】
2007063863.tif 000015
【図１４】
2007063863.tif 000016
【図１５】
2007063863.tif 000017
【図１６】
2007063863.tif 000018
【図１７】
2007063863.tif 000019
【図１８】
2007063863.tif 000020
【図１９】
2007063863.tif 000021
【図２０】
2007063863.tif 000022
【図２１】
2007063863.tif 000023
【図２２】
2007063863.tif 000024
【図２３】
2007063863.tif 000025
【図２４】
2007063863.tif 000026
【図２５】
2007063863.tif 000027
【図２６】
2007063863.tif 000028
【図２７】
2007063863.tif 000029
【図２８】
2007063863.tif 000030
【図２９】
2007063863.tif 000031